(57)【要約】【課題】乗場でエレベーターを待つ利用者が、先に到着するエレベーターの運行状況を瞬時に確認することができると共に、運転効率が適切でないと感じてイライラ感が増すこともなく、また、既設ボックスを流用して、安価に、短時間でリニューアル作業を行うことができるエレベーターの乗場表示装置の提供。【解決手段】同一建屋内に２台並設して設けられた群管理エレベーター用乗場表示装置において、１台分のかご位置表示器と、１台分の方向表示器を有する乗場表示装置を各階に各１台設け、乗場呼び釦で呼び登録されたエレベーターのかご位置及び、昇降方向のみを表示するものとした。【選択図】図１
2006008387.tif 000002
【特許請求の範囲】
【請求項１】
同一建屋内に２台併設して設けられた群管理エレベーターの出入口相互に挟まれた中間壁に取付けられ、乗りかご位置を表示するかご位置表示器及び、乗りかごの昇降方向を表示する方向表示器を備えたエレベーター用乗場表示装置において、１台分の乗りかご位置を表示するかご位置表示器及び、１台分の乗りかごの昇降方向を表示する方向表示器を各階に各１台設け、乗場呼び釦で呼び登録されたエレベーターのかご位置及び、昇降方向のみを表示することを特徴としたエレベーターの乗場表示装置。
【発明の詳細な説明】
【技術分野】
【０００１】
本発明は、２台並設して出入口が設けられた群管理エレベーターの乗場表示装置に関する。
【背景技術】
【０００２】
従来、２台並設して出入口が設けられた群管理エレベーターにおける乗場表示装置は、エレベーターの出入口相互に挟まれた中間壁に、１台分の乗りかご位置を表示するかご位置表示器及び、１台分の乗りかごの昇降方向を表示する方向表示器各２セットが上下に並べて設けられ、第１エレベーターの運転状況等を表示する第１表示面と、第２エレベーターの運転状況等を表示する第２表示面を形成し、また、前記表示面の側縁部には、各々の乗場表示装置に対応するエレベーター側に引退する傾斜が設けられていた（特許文献１参照）。
【特許文献１】特開平３−４３７７８号公報（図２）
【発明の開示】
【発明が解決しようとする課題】
【０００３】
前述した従来のものでは、エレベーターの出入口相互に挟まれた中間壁に、２台の乗場表示装置を設け、２台のエレベーターの運行状況を、各々の乗場表示装置に表示する方法が採られていたが、表示面が２台分あり、且つ上下に並んで配置されているため、どちらの表示を確認したらよいか利用者が困惑したり、先に到着するエレベーターの運行状況を瞬時に確認することができないという問題があった。
【０００４】
尚、従来提案されているものでは、乗場表示装置の表示面に、対応するエレベーター側に引退する傾斜が設けられ、乗場表示装置がどちらのエレベーターの運行状況を表示しているか分かり易く示す工夫がなされているものの、その効果は十分でなく、利用者が表示を誤認することがあった。
【０００５】
また、従来のものでは、乗場呼び登録されていないエレベーターの運行状況も表示装置に表示されるため、例えば、呼び登録されていないエレベーターが他階に待機していたりすると、利用者は運転効率が適切でないと感じ、待ち時間が長く感じられたり、イライラ感が増すことがあった。
【０００６】
また、乗場表示装置のリニューアルにおいて、安価に、短時間で作業を行うためには、既設ボックスの流用が不可欠であるが、２台分の乗場表示装置を設ける従来品では、既設のボックス内に収納することができず、リニューアルに適用できない場合があった。尚、ボックスを新製すればリニューアルが可能となるものの、新製ボックスが既設品より大型化するため、ボックス取付壁面に建築工事を施す必要が生じ、多大なコストと時間を要すことになる。
【０００７】
本発明は、このような従来技術における実情に鑑みてなされたもので、その目的は、乗場でエレベーターの到着を待つ利用者が、困惑したり誤認したりすることなく、先に到着するエレベーターの運行状況を瞬時に確認することができると共に、運転効率が適切でないと感じてイライラ感が増すこともなく、また、既設ボックスを流用して、安価に、短時間でリニューアル作業を行うことができるエレベーターの乗場表示装置を提供することにある。
【課題を解決するための手段】
【０００８】
この目的を達成するために本発明は、同一建屋内に２台並設して設けられた群管理エレベーターの出入口相互に挟まれた中間壁に取付けられ、乗りかご位置を表示するかご位置表示器及び、乗りかごの昇降方向を表示する方向表示器を備えたエレベーター用乗場表示装置において、１台分の乗りかご位置を表示するかご位置表示器及び、１台分の乗りかごの昇降方向を表示する方向表示器を各階に各１台設け、乗場呼び釦で呼び登録されたエレベーターのかご位置及び、昇降方向のみを表示するものである。
【０００９】
前記のように構成した本発明によれば、乗場の呼び釦で登録されたエレベーターの運行状況のみが表示されるため、乗場でエレベーターを待つ利用者が、困惑したり誤認したりすることなく、先に到着するエレベーターの運行状況を瞬時に確認することができ、また、呼び登録されていないエレベーターの運行状況は表示しないため、運転効率が適切でないと感じて、イライラ感が増すこともない。また、乗場表示装置をリニューアルする場合、乗場表示装置を１台設置すれば良いため、寸法上の問題から既設のボックスに乗場表示装置を収納することができないということがなく、ボックスを新製する必要もない。
【発明の効果】
【００１０】
本発明によれば、乗場でエレベーターを持つ利用者は、先に到着するエレベーターの運行状況を瞬時に確認することができると共に、運転効率が適切でないと感じてイライラ感が増すこともなく、また、既設のボックスを流用して、安価に、短時間でリニューアル作業を行うことができる。
【発明を実施するための最良の形態】
【００１１】
以下、本発明のエレベーターの乗場表示装置の実施形態を図に基づいて説明する。
【００１２】
図１は本発明のエレベーターの乗場表示装置の一実施形態を示す並設エレベーターの乗場全体正面図、図２は図１に示す乗場表示装置の詳細図、図３は図２に示す乗場表示装置の断面図である。
【００１３】
２台並設して出入口が設けられた群管理エレベーターでは、エレベーターの入出口１，２相互に挟まれた中間壁３に、フェースプレート４を介して乗場表示装置５が取付られ、フェースプレート４には、乗場表示装置５と共に、２台共通の乗場呼び釦６が設けられるのが一般的である。また、乗場表示装置５の裏面には、乗場表示装置５及び、乗場呼び釦６を収納するボックス７が備えられており、中間壁の凹部８に、ボルト等により取付けられている。尚、乗場表示装置５には、１台分の乗りかご位置を表示するかご位置表示器９及び、１台分の乗りかごの昇降方向を表示する方向表示器１０が備えられている。
【００１４】
続いて、本実施例における乗場表示装置５の表示方法について説明する。
【００１５】
利用者が乗場呼び釦６を押すと、予め制御盤にプログラムされた方式に従って、効率よく登録階に向かうことのできるエレベーターが呼び登録され、それと同時に乗場表示装置５が点灯する。乗場表示装置５には、乗場呼び登録されて運転を開始したエレベーターのかご位置、及び昇降方向のみを表示し、乗場呼び登録されていないエレベーターの運行状況は表示しない。次いで、エレベーターが登録階１１に到着すると同時に、乗場表示装置５は消灯し、次の乗場呼び登録がなければ消灯したままの状態を保持する。また、同一階で乗場呼び登録が重複した場合には、先に乗場呼び登録されたエレベーターの運行状況が表示され、エレベーターが登録階に到着するまで表示が継続される。次いで、先に登録されたエレベーターの到着と同時に表示が切り替えられ、次に登録されたエレベーターの運行状況が表示される。このように、同一階で乗場呼び登録が繰り返される場合には、前述した表示手順を繰り返すことになる。尚、本実施例では、呼び登録されたエレベーターが、登録階１１に到着すると同時に、乗場表示装置５を消灯するように構成したが、到着後、一定時間を空けてから消灯しても差し支えない。また、消灯せずに点灯を続行させてもよく、引き続き乗場呼び登録がない場合には、各階から見て近傍に位置するエレベーターの運行状況を、各階の乗場表示装置５に表示すればよい。このように点灯を続行させると、乗場呼び釦６を押す以前に、近傍にいるエレベーターの運行状況を瞬時に確認することができるようになる。
【００１６】
続いて、既設の乗場表示装置５をリニューアルする場合の方法について説明する。
【００１７】
リニューアルでは、乗場表示装置５と乗場呼び釦６を組み込んだフェースプレート４を新製し、前述したボックス７は既設品を流用するのが通例である。それは、既設品と異なるボックスを中間壁面３に取付けることになると、中間壁の凹部８を拡大する等の建築工事を施さなければならず、多大なコストを要すためである。しかしながら、従来の装置では、２台分の乗場表示装置を上下に配置していたため全長が長くなり、実装品を既設のボックス内に収納することができないことがあった。本実施例では、乗場表示装置５を１台設ける構成としたので、フェースプレート４の全長を従来品よりも大幅に短縮することができ、既設ボックス７内に容易に収納することができる。
【００１８】
以上のように構成した実施形態では、乗場表示装置５に、乗場の呼び釦６で登録されたエレベーターの運行状況のみを表示するため、乗場でエレベーターを待つ利用者が、困惑したり誤認したりすることなく、登録階１１に先に到着するエレベーターの運行状況を瞬時に確認することができる。また、呼び登録されていないエレベーターの運行状況は表示しないため、運転効率が適切でないと感じて、イライラ感が増すこともない。また、乗場表示装置５をリニューアルする場合において、寸法上の問題からボックス７を新製する必要もなく、従って、中間壁３に建築工事を施す必要もない。
【図面の簡単な説明】
【００１９】
【図１】本発明の一実施形態を示すエレベーターの乗場全体正面図である。
【図２】図１に示す乗場表示装置の詳細図である。
【図３】図２に示す乗場表示装置の断面図である。
【符号の説明】
【００２０】
１，２  入出口
３  中間壁
４  フェースプレート
５  乗場表示装置
６  乗場呼び釦
７  ボックス
８  中間壁の凹部
９  方向表示器
１０  かご位置表示器
１１  登録階
【図１】
2006008387.tif 000003
【図２】
2006008387.tif 000004
【図３】
2006008387.tif 000005